(57)【要約】【課題】ソフトルアーの取り付け簡素化と脱着時のダメージ軽減及び、アピール力の強化、より遠達と巻き取り時の引き抵抗の軽減を高めた釣具を提供する【解決手段】先端を流線型に又、ソフトルアーとの接合面を斜めにした錘（１）にライン針金（６）、上部固定針金（５）、下部固定針金（４）を取り付け、この端に固定輪（２）を結合し、又、錘（１）より固定輪（２）中央に突き出る様に取り付けた導入針金（３）と固定輪（２）の上部に上部フックアイ（７）、下部固定針金（４）に下部フックアイ（８）を設けている【選択図】図１
2014108089.tif 000002
【特許請求の範囲】
【請求項１】
ソフトルアーの外側より固定する為の輪を設けて、ソフトルアーを輪の中に通して固定する、固定する部分がソフトルアーの頭部のみとなる為、ソフトルアー本来の柔軟な性質を損なうことなくアピール出来る
【請求項２】
ソフトルアーを輪の中に導入する為の針金は細くストレートとなっていることで、ソフトルアー脱着時のダメージが少ないことを特徴としている
【請求項３】
固定輪の形状を変えることで、他のソフトルアーにも対応でき、錘の重さ、形状を変える事で泳層、飛距離並びにルアーの動きを変化させることが出来る
【請求項４】
フックアイの位置、上下２箇所を上下同じ位置とせず、づらして設け、フック取り付け時、ソフトルアーに刺した場合、フックの先端が当らない様にしたことにより、フックを上下に常時取り付け可能となり、魚がかかった時のバラシ軽減を特徴とする
【請求項５】
ラインアイ部の形状が錘にそって長くなっていることにより、ルアー投入時、空中ではラインに取り付けられたラインアイスナップリングが稼動し錘の後端側へ移動、ラインは飛ぶ方向の後方に流れる為、ソフトルアーは錘を先端側として回転しづらい姿勢となり飛距離が増す。ルアー投入時において、竿にぶら下がった時、ラインに取り付けられたラインアイスナップリングはラインアイ針金の錘先端側にある、竿の曲がりと共に慣性を与えられ飛び出すが、ラインの空気抵抗によりラインアイ針金上を錘後端側へ移動し、慣性の大きい錘にラインとソフトルアーが引かれる形で飛んでいく、飛行終盤に錘の慣性が小さくなってくると、錘に取り付けられた、ラインアイを中心としてソフトルアーがプロペラのように回転しやすくなるが、ラインアイ部が大きくなっていることにより、ラインアイスナップリングが錘後端側に移動する為、ルアーは回転せず、錘を先に安定した飛行姿勢で着水する事を特徴とする
【請求項６】
着水後も錘を先端として沈んで行く為、ラインアイスナップリングは錘の後端側にあるが、ラインを巻き取り始めるとソフトルアーの水中抵抗により、ラインアイスナップリングは錘の先端側へ移動する、この為、ラインの巻かれる方向ではルアー全体の断面積が最小となり、水中での引きおもり抵抗が小さくなる、抵抗の少ない分巻き取り速度を上げることが出来、早く巻けば、ルアーの水中抵抗により泳層は上がり、巻き取り速度で泳層をより自由に調整出来ることを特徴としている
【発明の詳細な説明】
【技術分野】
【０００１】
本発明は、ソフトルアーのジグヘッドへの脱着時のダメージ軽減、と魚へのアピール力を増す事と共に、ルアーの遠達及びライン巻き取り時の引き抵抗の軽減、巻き取り速度による泳層の自由選択に関するものである
【背景技術】
【０００２】
ソフトルアーは元来、釣り餌の代用として考案され、使用方法は頭部より針を刺して使用するものであったが、より遠くに飛ばす為、針に錘を取り付け、用を足してきた
【０００３】
しかし、ルアー胴に刺し連れ抜かれた針により、その動きはソフトルアー本来の柔軟な性質をテールのみでアピールする事となり、折角の魚に似た胴をくねらせるソフトな動きが妨げられていた
【０００４】
又、ルアー胴に大きな針で貫く為、ソフトルアーへのダメージも大きかった
【０００５】
他、ルアー投入時、着水前の空中スピードが落ちた時、錘とソフトルアーの取り付けバランスと共にラインアイの位置により、ラインが抵抗となり、錘を中心として、錘とソフトルアーがプロペラのように回転して、飛距離が低下してしまう欠点がある
【０００６】
着水後は、沈下したルアーを動かす為にラインを巻き取るが、動きなく錘に固定されたソフトルアーとラインアイ位置も合わさって、錘を下に斜めに引かれる事により、水中抵抗が大きく、巻き取るスピードを早くしなければ、泳層の調整が出来ず、尚且つ引きおもり感も大きい為、長時間釣りに専念することが出来ない、という欠点があった
【先行技術文献】
【特許文献】
【０００７】
【特許文献１】特開２００１−４５９１８号公報
【非特許文献】
【０００８】
【非特許文献１】なし
【発明の概要】
【発明が解決しようとする課題】
【０００９】
解決しようとする課題は、ジグヘッドへのソフトルアー取り付けにより、魚へのアピール力強化
【００１０】
ソフトルアー脱着時のダメージ軽減、簡素化
【００１１】
ラインアイ位置、形状により、飛距離の増加
【００１２】
及び、ライン巻取り時の引き抵抗を軽減し、巻き取りスピードによるルアー泳層の調整幅の拡大を図るものである
【課題を解決するための手段】
【００１３】
本発明は、ジグヘッドへのソフトルアー取付をより簡易とし、脱着時のダメージ軽減を図り、ソフトルアーの動きをより魚に近づけることを特徴とする
【００１４】
又、ラインアイ位置、形状により、ラインに取り付けられたラインアイスナップリングが、ラインアイ針金上を稼動することにより、飛距離の増加と、ライン巻取り時の引き抵抗の軽減、並びに巻き取りスピードによる、ルアー泳層調整幅の拡大を可能にする
【発明の効果】
【００１５】
本発明のジグヘッドはソフトルアーを錘に取り付けられた固定輪の中に通すことにより固定され、ソフトルアーの胴より尾の部分が自由に動く事と、ソフトルアーの頭部は一部針に貫かれるが、ソフトルアーに与えるダメージがより少なくなっていることを利点としている
【００１６】
又、輪の大きさ、形状を変えることにより、他のソフトルアーの断面形状にも対応できる
【００１７】
他、錘の先端側から後端にある固定輪までに設けられたアイアン部を、ラインアイスナップリングが可動することを特徴する、ルアー投入、着水までの間のラインアイスナップリング位置は、竿振り出し時には錘の先端側にあるが、飛び出しと同時に錘後端まで移動して、ルアーは錘を先端とし、ラインとジグヘッドに取り付けられたソフトルアーを引っ張る形で飛行姿勢が安定する為、回転することも無く、また空気抵抗が少なくなる為により飛距離が長くなる
【図面の簡単な説明】
【００１８】
【図１】本発明の形態を示す釣具である
【図２】本発明にソフトルアーを装着時の形態を示す図である
【図３】本発明の使用時の形態を示す図である
【図４】本発明へのフック装着時の形態を示す図である
【図５】本発明の投入から着水までの飛行姿勢を示す図である
【図６】本発明の着水前の状態を示す図である
【図７】本発明の水中巻取り状態を示す図である
【図８】本発明の応用例を示す図である
【発明を実施するための形態】
【００１９】
図１は本発明の形態を示す釣具である、先端を流線型とし抵抗を少なくし、ソフトルアーとの接触面積を大きくする為に接合面を斜めにした錘（１）と、錘（１）から突き出た３本の針金（４，５，６）が固定輪（２）に取り付けられる、３本のうち上部固定針金（５）とラインアイ針金（６）が固定輪（２）で結合し、ラインアイ部をつくり、その先に上部フックアイも形作られる、錘（１）からでた下部固定針金（４）も固定輪（２）に取り付けられ、錘（１）と固定輪（２）の間に下部フックアイ（８）が形作られる、錘（１）の中央から突き出た導入針金（３）はソフトルアーの導入をしやすくし、尚安全の為、固定輪（２）より少し突き出ている
【００２０】
図２は本発明にソフトルアーを装着時の形態を示す図である、錘（１）中央から突き出た導入針金（３）にソフトルアー（９）頭部を突き刺し、固定輪（２）を通して錘（１）に確実に接触するまで挿入する、固定輪（２）の内径はソフトルアー後頭部断面径の１／４〜１／３程小さくなっていて、ソフトルアー（９）の弾力により抜けなくなる、この外側から固定されることにより、従来のソフトルアー（９）を貫き固定する方法と異なり、貫いている導入針金（３）は細い為、ソフトルアー（９）の脱着に与えるダメージが少なく、何回でも脱着可能である、又頭部のみを固定する為、胴部からテールはソフトルアー（９）の柔軟な性質を損なうことなく自由に動き、魚へのアピール力がより増す事になる
【００２１】
図３は本発明の使用時の形態を示す図である、錘（１）先端からラインアイ針金（６）と上部固定針金（５）によりラインアイ部が形作られる、この間をライン（１１）末端に取り付けられたラインアイスナップリング（１０）を介してライン（１１）とジグヘッドが連結される
【００２２】
図４は本発明へのフック装着時の形態を示す図である、固定輪（２）の上下に取り付けられた上部フックアイ（７）と、下部フックアイ（８）はソフトルター（９）の頭尾方向に対してずれている、フック（１３）を上下フックアイ（７，８）にフックスプリットリング（１２）を介して取り付けた時、ソフトルアー（９）にフック（１３）を刺しても共に針先が当たらない為、上下同時取り付け可能となる、これにより魚をかけた時のばらしが軽減される、尚フック（１３）をソフトルアー（９）の背、腹に刺すことになり、動きは一部阻止されるが、進行の横方向には自由に動く為、フック（１３）取り付けでアピール力低下しない
【００２３】
図５は本発明の投入から着水までの飛行姿勢を示す図である、ルアー投入時、竿（１４）にぶら下がった時のラインアイスナップリング（１０）はラインアイ針金（６）の錘（１）先端側にある、投入による力を加えられるとルアーは錘（１）を前にし、ラインアイスナップリング（１０）はラインアイ針金（６）上を後方に移動し、ライン（１１）は飛ぶ方向の逆に流れて、錘（１）にライン（１１）とソフトルアー（９）が引かれる形で飛んでいく
【００２４】
図６は本発明の着水前の状態を示す図である、もしラインアイスナップリング（１０）が飛行中も錘（１）の先端側（a図）にあったなら、着水前、錘（１）の慣性が小さくなった場合、空気抵抗によりソフトルアー（９）が錘（１）に付いたラインアイを中心としてプロペラのように回転（ｃ図）しだすが、ラインアイスナップリング（１０）が錘（１）より後方（ｂ図）にある限りルアーは回転せず、錘（１）を先に安定した姿勢で飛ぶ
【００２５】
図７は本発明の水中巻取り状態を示す図である、着水後も、錘（１）を先端（ａ図）として沈むが、ライン（１１）を巻き取り始めるとソフトルアー（９）の水中抵抗により、ラインアイスナップリング（１０）はラインアイ針金（６）上を錘（１）後端側より先端側に移動（ｂ図）する、これにより進行方向に対してルアー断面積が最小となり、水中での引きおもり抵抗は小さくなる、そのため抵抗の少ない分、ライン（１１）を早く巻けばルアーの水中抵抗により泳層が上がる、このことにより泳層の調整幅がより広がる
【実施例】
【００２６】
図８は本発明の応用例を示す図である、錘（１）の重さを変えることにより飛距離が増すが、同じ速度でライン（１１）巻き取ると泳層が下がる為、錘（１）の形を平たくしてより泳層を上げることが出来る、又固定輪（２）の形状、大きさ（ａ図およびｂ図）を変えることにより他のソフトルアー（９）にも対応できる
【産業上の利用可能性】
【００２７】
本発明は、ソフトルアーの取り付方法の簡素化とより遠達を可能とするための、ソフトルアー用ジグヘッドに係るものである
【符号の説明】
【００２８】
１  錘
２  固定輪
３  導入針金
４  下部固定針金
５  上部固定針金
６  ラインアイ針金
７  上部フックアイ
８  下部フックアイ
９  ソフトルアー
１０  ラインアイスナップリング
１１  ライン
１２  フックアイスプリットリング
１３  フック
２０  水面
【図１】
2014108089.tif 000003
【図２】
2014108089.tif 000004
【図３】
2014108089.tif 000005
【図４】
2014108089.tif 000006
【図５】
2014108089.tif 000007
【図６】
2014108089.tif 000008
【図７】
2014108089.tif 000009
【図８】
2014108089.tif 000010